(57)【特許請求の範囲】
【請求項１】
衣類を宅配するための包装形態の包装方法であって、
前記衣類を載せるための段ボール製の板紙の上面に、前記衣類を置くと共に、前記板紙の下面に、載置された前記衣類に応じた宅配情報データを登録した識別表示を貼り付け、
前記板紙に載置された前記衣類の上側を不透明フィルムシートで覆うと共に、前記板紙の下側を透明フィルムシートで覆い、
前記不透明フィルムシート及び前記透明フィルムシートをシールして、前記衣類及び前記板紙を包装した包装物を形成し、
前記包装物の下側から前記板紙に貼り付けられた前記識別表示を読取装置で読み取り、
前記読取装置からの読取データに基づいて、住所ラベルに宅配先住所を印刷装置で印刷し、
前記住所ラベルを前記包装物の上側に貼り付ける
ことを特徴とする包装形態の包装方法。
【請求項２】
衣類を宅配するための包装形態の包装装置であって、
前記衣類が載せられた段ボール製の板紙を搬送方向に搬送するための搬送装置と、
不透明フィルムシート及び透明フィルムシートを巻き取った原反ロールと、を備え、
前記衣類及び前記板紙は、前記板紙の上面に、前記衣類が置かれると共に、前記板紙の下面に、載置された前記衣類に応じた宅配情報データを登録した識別表示が貼り付けられ、前記搬送装置によって搬送され、
前記搬送装置で搬送される前記衣類及び前記板紙は、その上側が前記原反ロールから引き出される不透明フィルムシートで覆われると共に、その下側が前記原反ロールから引き出される透明フィルムシートで覆われ、
前記包装装置は、さらに、
前記不透明フィルムシート及び前記透明フィルムシートをシールして、前記衣類及び前記板紙を包装した包装物を形成するためのヒートシールバーと、
前記包装物の下側から前記板紙に貼り付けられた前記識別表示を読み取るための読取装置と、
前記読取装置からの読取データに基づいて、前記包装物の上側に貼り付けられる住所ラベルに宅配先住所を印刷するための印刷装置と、を備える
ことを特徴とする包装形態の包装装置。
【発明の詳細な説明】
【技術分野】
【０００１】
本発明は、衣類を宅配するための包装形態に関するものである。
【背景技術】
【０００２】
従来より、食料品などを宅配するための包装形態は、全体が透明のプラスチック袋に食料品などを収容して宅配している（例えば特許文献１）。また、衣類などを宅配するための包装形態は、紙袋や段ボール封筒に衣類などを収容して宅配している。
【０００３】
衣類を宅配する際に、紙袋や段ボール封筒などを使用する理由は、宅配業者や近所の人に宅配される衣類を見られないようにするためである。しかし、紙袋や段ボール封筒を用いると、原材料費が高く包装に手間がかかるので、コストが高くなる問題がある。また、従来からの上記した透明のプラスチック袋を使うと、透明なので宅配する衣類を宅配業者などに知られるという問題がある。
【先行技術文献】
【特許文献】
【０００４】
【特許文献１】特開２００５−２４１８１８号公報
【発明の概要】
【発明が解決しようとする課題】
【０００５】
そこで、本発明が解決しようとする課題は、上記した問題点に鑑みて、衣類を宅配する際に、コストを低く抑えることができると共に、宅配する衣類を宅配業者などに知られるおそれのない包装形態を提供するものである。
【課題を解決するための手段】
【０００６】
上記課題を解決するために、本発明は、
衣類を宅配するための包装形態の包装方法であって、
前記衣類を載せるための段ボール製の板紙の上面に、前記衣類を置くと共に、前記板紙の下面に、載置された前記衣類に応じた宅配情報データを登録した識別表示を貼り付け、
前記板紙に載置された前記衣類の上側を不透明フィルムシートで覆うと共に、前記板紙の下側を透明フィルムシートで覆い、
前記不透明フィルムシート及び前記透明フィルムシートをシールして、前記衣類及び前記板紙を包装した包装物を形成し、
前記包装物の下側から前記板紙に貼り付けられた前記識別表示を読取装置で印刷装置で読み取り、
前記読取装置からの読取データに基づいて、住所ラベルに宅配先住所を印刷し、
前記住所ラベルを前記包装物の上側に貼り付ける。
【０００７】
さらに、本発明は、
衣類を宅配するための包装形態の包装装置であって、
前記衣類が載せられた段ボール製の板紙を搬送方向に搬送するための搬送装置と、
不透明フィルムシート及び透明フィルムシートを巻き取った原反ロールと、を備え、
前記衣類及び前記板紙は、前記板紙の上面に、前記衣類が置かれると共に、前記板紙の下面に、載置された前記衣類に応じた宅配情報データを登録した識別表示が貼り付けられ、前記搬送装置によって搬送され、
前記搬送装置で搬送される前記衣類及び前記板紙は、その上側が前記原反ロールから引き出される不透明フィルムシートで覆われると共に、その下側が前記原反ロールから引き出される透明フィルムシートで覆われ、
前記包装装置は、さらに、
前記不透明フィルムシート及び前記透明フィルムシートをシールして、前記衣類及び前記板紙を包装した包装物を形成するためのヒートシールバーと、
前記包装物の下側から前記板紙に貼り付けられた前記識別表示を読み取るための読取装置と、
前記読取装置からの読取データに基づいて、前記包装物の上側に貼り付けられる住所ラベルに宅配先住所を印刷するための印刷装置と、を備える。
【発明の効果】
【０００８】
上記した通り、本発明に係る包装形態は、フィルム製の包装袋を使用するので原料費が安く、さらに、包装装置で自動的に袋詰めできるので、コストを低く抑えることができる。更に、衣類を段ボール製の板紙の上に載せているので、搬送する際に、包装袋の中で衣類が回転するなど大きく移動することがなく安定性に優れ、また、宅配する際にも、持ち運びやすくなっている。そのため、衣類に皺や折れなどが生じないようになっている。そして、包装袋は、衣類側が不透明になっているので、宅配業者などは衣類を見ることができないようになっている。
【図面の簡単な説明】
【０００９】
【図１】包装する前の衣類及び板紙を示す斜視図。
【図２】四方シール方式の包装装置を示す斜視図。
【図３】衣類及び板紙を包装した包装形態を示す斜視図。
【図４】三方シール方式の包装装置を示し、（ａ）は概略斜視図、（ｂ）は側面図。
【発明を実施するための形態】
【００１０】
以下、添付図面に基づいて、本発明に係る包装形態について説明する。
【００１１】
図１の通り、宅配対象となる衣類１は、ズボン、シャツ、下着などの種類に応じて、搬送性や収納性などを考慮して所定の大きさに折り畳まれる。折り畳まれた衣類１は、これよりも大きい段ボール製の板紙２の上に載置される。さらに、衣類１と板紙２との間に、注文衣類の種類や宅配先情報等が記載された納品書や請求書等の用紙類３が挟まれる。そして、板紙２は、衣類１が置かれる面２ａとは反対側の面２ｂに、載置された衣類１に応じた宅配先住所などの宅配情報データを登録した識別表示（バーコードなど）４が粘着テープなどで付される。
【００１２】
図２の通り、四方シール方式の包装装置は、搬送方向に沿ってベルトコンベア等からなる複数の搬送装置２０，２０’，２０’’，２０’’’を備える。第１の搬送装置２０に、板紙２に載せられた衣類１が所定間隔ごとに置かれて搬送方向に搬送される。包装装置は、上側に上側原反ロール２１、下側に下側原反ロール２２を備える。上側原反ロール２１は、例えば黒色などで着色された不透明のフィルムシート５を巻いて構成されている。それに対し、下側原反ロール２２は、透明のフィルムシート６を巻いて構成されている。
【００１３】
上側原反ロール２１から不透明フィルムシート５が引き出され、ガイドローラー２３で方向を変えて下方へ供給される。また、下側原反ロール２２から透明フィルムシート６が引き出され、ガイドローラー２４で方向を変えて上方へ供給される。各フィルムシート５，６は、第１搬送装置２０と第２搬送装置２０’との間の溶断位置で溶着される。即ち、その位置において、包装装置は、上側に設けられたヒートシールバー２６と、下側に設けられた受け台２７とを備える。
【００１４】
そして、第１搬送装置２０で搬送された衣類１は、各フィルムシート５，６が溶着された状態で溶断位置へ送られ、上側を不透明フィルムシート５で、下側を透明フィルムシート６で覆われる。その後、ヒートシールバー２６が下降して、受け台２５と共に各フィルムシート５，６を挟んで溶断する。そして、後方の開口部をシールした各フィルムシート５，６で包装した衣類１を第２搬送装置２０’で搬送する。なおこのとき、各フィルムシート５，６の両サイドの開口部はまだシールされていない。
【００１５】
次に、第２搬送装置２０’で送られた衣類１は、第３搬送装置２０’’で搬送される。第３搬送装置２０’’の両サイドには、上側に一対のヒートシールバー２８，２８’が、下側に受け台２７，２７’が設けられている。そして、ヒートシールバー２８，２８’が下降して、受け台２７，２７’に挟まれることで各フィルムシート５，６の両サイドの開口部がシールされる。その際、図示しないスポンジなどの弾性部材で上側から軽く押えて、内部の空気を放出した状態でシールするようになっている。これにより、衣類１を包装するための各フィルムシート５，６からなる包装袋１５が形成される。
【００１６】
上記により、包装袋１５で衣類１及び板紙２を包装した包装物１０が形成される。包装袋１５とその内部にある板紙２とは、ほぼ同じ大きさなので、板紙２に載った衣類１は、包装袋１５の中で回転したり大きく移動することがなく、皺や折れなどが生じないようになっている。また、包装物１０は、内部の空気を放出しているので体積が小さく、多くの包装物１０を宅配トラックに積み込むことができる。また、各フィルムシート５，６は、ポリエステル樹脂などのガスバリア性に優れたシート部材で構成されており、外部からの空気が内部に侵入して衣類１に臭いが付かないようになっている。
【００１７】
上記で説明した通り、板紙２の下面２ｂには識別表示４が付されている。また、包装袋１５の下側は、透明フィルムシート６で構成されているので、外側から識別表示４を認識できる。包装物１０は、第３搬送装置２０’’から第４搬送装置２０’’’へ送られる。第４搬送装置２０’’’の下側には、識別表示４を読み取るためのバーコードリーダーなどの読取装置３０が設けられている。そして、読取装置３０は、送られてきた包装物１０に付された識別表示４を読み取るようになっている。
【００１８】
読取装置３０が読み取った識別データは、印刷装置３１へ送られる。印刷装置３１は、送られた識別データに基づいて、住所ラベル７に宅配先住所を印刷するようになっている。そして、その住所ラベル７を手作業又は装置で包装物１０の上側に貼り付ける。これにより、不透明フィルムシート５によって包装物１０の中が見えず、衣類１を確認できなくても、作業者は間違うことなく住所ラベル７を貼り付けることができる。
【００１９】
図３（ａ）の通り、包装袋１５は、上側が不透明フィルムシート５なので、宅配業者などが内部の衣類１を見ることができないようになっている。また、図３（ｂ）の通り、包装袋１５は、下側が透明フィルムシート６なので、段ボールなどの板紙２を見ることができるが、内部の衣類１を見ることができない。また、板紙２を見ることができるので、板紙２の下面２ｂに宣伝のための広告などを付すこともできる。
【００２０】
次に、図４に基づいて、三方シール方式の包装装置を用いた実施形態について説明する。図４（ａ）の通り、三方シール方式の包装装置は、原反ロール４０を備える。原反ロール４０は、半折フィルムを巻いて構成されている。半折フィルムは、長尺方向の折り目４０ａに沿って半分に折られたものであって、折り目４０ａを介して、上側が不透明フィルムシート５になるよう着色されており、下側が透明フィルムシート６からなる。また、包装装置は、上側に設けられたＬ型ヒートシールバー４１と、下側に設けられたＬ型の受け台４２とを備える。板紙２に載せた衣類１は、不透明フィルムシート５と透明フィルムシート６との間に配置される。なお、衣類１は、不透明フィルムシート５側になる。その状態で衣類１及び板紙２を搬送して、Ｌ型シールバー４１が下降して、受け台４２で挟まれることで、フィルムシート５，６における三方の開口部がシールされる。これにより、衣類１を包装するためのフィルムシート５，６からなる包装袋１５が形成され、包装袋１５で衣類１及び板紙２を包装した包装物１０が形成される。
【００２１】
図４（ｂ）の通り、包装装置は、Ｌ型シールバー４１を支持するサポート部材４３を備える。サポート部材４３は、上下方向に立設された複数本のレール４４に沿って昇降するようになっている。包装装置は、住所ラベル７を印刷して貼り付けるためのラベラー３２を備える。ラベラー３２は、サポート部材３３で支持されている。サポート部材３３は、上下方向に立設されたレール３４に沿って昇降するようになっている。ラベラー３２は、識別表示４を読み取るための読取装置３０から送られる信号によって、住所ラベル７を印刷するようになっている。
【００２２】
先ず、作業者が、図示しない作業台で、板紙２の下面２ｂに付された識別表示４を読取装置３０で読み取って、識別データをラベラー３２に送る。そして、板紙２に載せられた衣類１を各フィルムシート５，６の間に配置し、その状態でＬ型シールバー４１の下方に持っていく。その後、包装装置を起動して、サポート部材４３と共にＬ型シールバー４１がレール４４に沿って下降して、フィルムシート５，６をシールして包装袋１５を形成する。続いて、サポート部３３と共にラベラー３２がレール３４に沿って下降して、印刷した住所ラベル７を包装袋１５に貼り付け、包装物１０が形成される。このように、Ｌ型シールバー４１及びラベラー３２がレール４４，３４に沿って上方から下降する方式にすることで、衣類１が分厚くなっても、シールバー４１等が邪魔になることがなく、スムーズにシールできる。
【００２３】
なお、上記した実施形態の他に、一方及び二方シール方式の包装装置であってもよい。その場合、予め所定箇所が着色された筒状のフィルムシートを用いて、その開口部をシールすることで包装袋１５を形成する。
【符号の説明】
【００２４】
１  衣類
２  板紙
４  識別表示
５  不透明フィルムシート
６  透明フィルムシート
７  住所ラベル
１０  包装物
１５  包装袋
【図１】
0005581110.tif 000002
【図２】
0005581110.tif 000003
【図３】
0005581110.tif 000004
【図４】
0005581110.tif 000005